(57)【要約】      （修正有）【課題】レンズ形成時に実装基板の下面に樹脂が回り込むのを抑制し、かつレンズの底面が平面または滑らか曲面を有する発光装置の製造方法を提供する。【解決手段】発光素子２を備えると、発光体３の上面を封止するレンズ９とを含み、レンズの底面から発光体の下面が露出し、発光体の下面に垂直な方向からの上面視において底面が基板４の外側にまで延在している発光装置の製造方法であって、１）基体上に接着層１６を設ける工程と、２）接着層上に開口部を有するシム板１４を配置する工程と、３）シム板の開口部から露出した接着層上に、発光体を配置する工程と、４）表面に凹部１２を設けた金型１０を、シム板に近づけ、凹部内において、レンズ形成材料により、発光体の上面とシム板の上面とを覆った後、レンズ形成材料を硬化させることによりレンズを形成する工程とを含む。【選択図】図２
2015192061.tif 000002
【特許請求の範囲】
【請求項１】
発光素子を備える発光体と、前記発光体の上面を封止するレンズと、を含み、前記レンズの底面から前記発光体の下面が露出し、前記発光体の下面に垂直な方向からの上面視において前記底面が前記発光体の外側にまで延在している発光装置の製造方法であって、
１）基体上に接着層を設ける工程と、
２）前記接着層上に開口部を有するシム板を配置する工程と、
３）前記シム板の前記開口部から露出した前記接着層上に、前記発光体を配置する工程と、
４）表面に凹部を設けた金型を、前記シム板に近づけ、前記凹部内において、レンズ形成材料により、前記発光体の上面と前記シム板の上面とを覆った後、前記レンズ形成材料を硬化させることにより前記レンズを形成する工程と、
を含むことを特徴とする製造方法。
【請求項２】
前記シム板の前記開口部が、前記シム板の下面から上面に向けて広がるテーパー部を有することを特徴とする請求項１に記載の製造方法。
【請求項３】
前記工程３）の後で且つ前記工程４）の前に、前記シム板の側面と前記発光体の側面との間の隙間を樹脂で埋める工程を含むことを特徴とする請求項１または２に記載の製造方法。
【請求項４】
前記発光体が、上方から下方に向けて狭くなるテーパー部を有していることを特徴とする請求項１〜３のいずれか１項に記載の製造方法。
【請求項５】
前記レンズが前記底面の端部に、前記発光体の上面に平行な方向に対して傾斜している傾斜部を有し、
前記シム板が、前記基体の上面に平行な方向に対し傾斜した、傾斜面を有し、前記工程４）において、前記傾斜部を形成することを特徴とする請求項１〜４のいずれか１項に記載の製造方法。
【請求項６】
前記工程３）において、前記シム板の前記テーパー部と、前記発光体の前記テーパー部とを対向させることを特徴とする請求項４に記載の製造方法。
【請求項７】
前記レンズが、トランスファーモールドまたは圧縮成形により形成されることを特徴とする請求項１〜６のいずれか１項に記載の製造方法。
【発明の詳細な説明】
【技術分野】
【０００１】
本発明は、発光装置の製造方法、とりわけ発光素子を覆うように配置したレンズを有する発光装置の製造方法に関する。
【背景技術】
【０００２】
発光ダイオード等の半導体チップ（発光素子）を用いた発光装置は小型化が容易で且つ高い発光効率が得られることから、広く用いられている。
このような発光装置の中には、例えば、実装基板の上面側方向等の特定の方向により多くの光量を得るために、半導体チップからの光を所望の方向に屈折させるレンズ（レンズとして機能する封止部）を有するものがある。レンズを備えたこの種の発光装置は、照明やバックライトをはじめとする多くの用途で用いられている。
【０００３】
このような発光装置に用いられるレンズは、通常、発光素子を覆うように実装基板上に配置される。そして、発光素子の発光のうち、多くはレンズにより屈折し、レンズの上面から所望の方向に向かうこととなる。
しかし、このようにレンズを配置すると、レンズの下面の大部分は、実装基板の表面と接触することになる。この結果、発光素子を出た光の一部、とりわけ、下方に向かう光は、レンズを出て実装基板に達する。これは、レンズを形成するガラスまたは樹脂等の透光性材料の屈折率ｎ１と基板を形成する材料の屈折率ｎ２について、ｎ１よりｎ２の方が大きいため全反射が起こらない、またはｎ１の方がｎ２より大きくてもその差が小さいため全反射が起こる臨界角が大きくなることによる。
【０００４】
そして、実装基板に達した光の一部は反射され再びレンズ内に戻るものの、実装基板に達した光のかなりの部分が実装基板に当たり、吸収されてしまう。この実装基板による吸収は、実装基板の表面の反射率を高くすることで緩和することができる。しかし、このような既知の緩和策を行っても、相当量の光が、実装基板に吸収されるため、光取り出し効率が低下するという問題があった。
そこで、平面視において基板の外側までレンズ（特にレンズの底面）を延在させた発光装置が知られている。
【０００５】
このような発光装置では、実装基板の上に発光素子が実装されている。この発光素子と、実装基板の上面とがレンズの内部に配置され、レンズの底面より実装基板下面が突出（露出）している。
【０００６】
そして、レンズの底面のうち、実装基板の外側にまで延在している部分は空気と接している。空気は、屈折率が小さいことから、レンズを形成するガラスまたは樹脂等の透光性材料の屈折率ｎ１と空気の屈折率ｎairとの差が大きな値となり、全反射が起こる臨界角が小さな値となる。この結果、発光素子からレンズの底面に達した光の大部分が反射され、レンズの底面から外部に出る光の量を抑制することができる。
従って、平面視において実装基板の外側までレンズ（特にレンズの底面）を延在させた発光装置は高い取り出し効率、とりわけレンズ上面からの高い取り出し効率を得ることができる。
【０００７】
このような、平面視において実装基板の外側までレンズを延在させた発光装置の製造方法として、特許文献１および特許文献２に記載の方法が知られている。
【０００８】
特許文献１に記載の方法は、下型（下側金型）の上に、発光素子を載置した実装基板を複数、互いに離間させて配置する。離間した実装基板の間にスペーサを配置する。次に、下面に得ようとするレンズの形状に対応した凹部を有する上型（上側金型）を凹部内に硬化前の封止部材（レンズ用材料）が装填された状態で、凹部内に発光素子が入るように、下型に接触および圧下した後、封止部材を硬化させて所望のレンズ形状を有する発光装置を得ている。
【０００９】
特許文献２に記載の方法は、チャックを用いて、下面上に、発光素子を載置した実装基板を保持する上側金型（上母型）と、上面に得ようとするレンズの形状に対応した凹部を有する下側金型を準備する。上側金型と下側金型を密着させて、凹部（チャンバ）内に実装基板と発光素子と配置した後、上側金型に設けた排気口を用いて、凹部内を減圧後、上側金型に設けた注入口を介して、熱硬化性樹脂のモノマーと重合触媒との混合液を凹部内に供給する。そして、この混合液を硬化させて所望のレンズ形状を有する発光装置を得ている。
【先行技術文献】
【特許文献】
【００１０】
【特許文献１】特開２００７−０７７４９１号公報
【特許文献２】特開２００７−２７３７６４号公報
【発明の概要】
【発明が解決しようとする課題】
【００１１】
しかし、特許文献１に記載の方法を用いた場合、硬化前の封止部材が実装基板の下面に回り込み、得られた発光装置の実装基板の下面に樹脂皮膜を形成してしまう場合があった。
このような樹脂皮膜が実装基板の下面に設けた配線層上に形成されると、導通不良を生ずるという問題がある。また、導通不要を回避するためには、レンズ形成後にこの樹脂皮膜を除去する工程を追加する必要があった。
【００１２】
一方、引用文献２に記載の方法を用いた場合、硬化時の樹脂の収縮等により、レンズの底面が平面または滑らかな曲面とならず、底面に凹凸を生ずる（例えば断面内でレンズ底面に凹凸生ずる）等により全反射が起こらない場合があると言う問題があった。
【００１３】
そこで、本発明は、平面視において実装基板の外側まで延在するレンズを有する発光装置であって、レンズ形成時に実装基板の下面に樹脂が回り込むのを抑制し、かつレンズの底面が平面または滑らかな曲面を有する発光装置の製造方法を提供することを目的とする。
【課題を解決するための手段】
【００１４】
本発明に係る製造方法は、発光素子を備える発光体と、前記発光体の上面を封止するレンズと、を含み、前記レンズの底面から前記発光体の下面が露出し、前記発光体の下面に垂直な方向からの上面視において前記底面が前記発光体の外側にまで延在している発光装置の製造方法であって、１）基体上に接着層を設ける工程と、２）前記接着層上に開口部を有するシム板を配置する工程と、
３）前記シム板の前記開口部から露出した前記接着層上に、前記発光体を配置する工程と、４）表面に凹部を設けた金型を、前記シム板に近づけ、前記凹部内において、レンズ形成材料により、前記体上面と前記シム板の上面とを覆った後、前記レンズ形成材料を硬化させることにより前記レンズを形成する工程と、を含むことを特徴とする。
【発明の効果】
【００１５】
本発明に係る製造方法を用いることで、レンズ成形時に実装基板の下面に樹脂が回り込むのを抑制できる。また、平面視において実装基板の外側まで延在するレンズを有する発光装置を得ることができ、かつ、得られた発光装置のレンズの底面は、平面または滑らか曲面を有する。
【図面の簡単な説明】
【００１６】
【図１】図１（ａ）〜（ｃ）は、図３に示す発光装置１００を製造する方法を示す模式断面図である。
【図２】図２（ａ）、（ｂ）は、図３に示す発光装置１００を製造する方法を示す模式断面図である。
【図３】図３は、発光装置１００を示す模式断面図である。
【図４】図４は、シム板１４の開口２０内に配置された発光体３の配置を示す模式断面図である。
【図５】図５（ａ）は、シム板１４の模式上面図であり、図５（ｂ）は、図５（ａ）に示された開口部２０の拡大図である。
【図６】図６は、開口部２０の側面と実装基板４との間にシーリング樹脂２２を配置した実施形態を示す模式断面図である。
【図７】図７は、実装基板がテーパー部を有する実施形態を示す模式断面図である。
【図８】図８は、本発明の変形例に係る発光装置１００Ａを示す模式断面図である。
【図９】図９は、シム板１４Ａの開口部２０内に配置された発光体３の配置を示す模式断面図である。
【図１０】図１０（ａ）は、発光体３Ａを示す模式断面図であり、図１０（ｂ）は、発光体３Ｂを示す模式断面図である。
【発明を実施するための形態】
【００１７】
以下、図面に基づいて本発明の実施形態を詳細に説明する。なお、以下の説明では、必要に応じて特定の方向や位置を示す用語（例えば、「上」、「下」、「右」、「左」及びそれらの用語を含む別の用語）を用いるが、それらの用語の使用は図面を参照した発明の理解を容易にするためであって、それらの用語の意味によって本発明の技術的範囲が制限されるものではない。複数の図面に表れる同一符号の部分は同一の部分又は部材を示す。
また、これらの図面は、本発明の理解を容易にするために、一部分を誇張して表示している場合がある。従って、縮尺および相対的な配置等が、実際の本発明に係る物品と異なる場合があることに留意されたい。
【００１８】
図１（ａ）〜（ｃ）および図２（ａ）、（ｂ）は、図３に示す発光装置１００を製造する方法を示す模式断面図である。図３は、発光装置１００を示す模式断面図である。
図１（ａ）〜（ｃ）および図２（ａ）、（ｂ）を用いて、本発明に係る製造方法を説明する前に、発光装置１００について説明しておく。
【００１９】
発光装置１００は、実装基板４および実装基板４の上に実装（載置）された発光素子２を有する発光体３と、レンズ９とを含む。
発光素子２は、半導体層を含み、必要に応じて半導体層の外面を覆う蛍光体層６を含んでいる。半導体層は、ｐ型半導体層とｎ型半導体層とを含み、その間で発光する。また、半導体層は必要に応じてｐ型半導体層とｎ型半導体層の間に活性層（発光層）を含んでよい。
【００２０】
実装基板４の表面および内部には発光素子２に電力を供給する配線パターン８が形成されている。
より詳細には、実装基板４の上面（図３のＺ方向側の主面）には２つの上面配線パターン８ａが配置され、２つの上面配線パターン８ａの一方が、発光素子２のｐ型半導体層と電気的に接続され、他方が、発光素子２のｎ型半導体層と電気的に接続されている。また、２つの上面配線パターン８ａは、それぞれ、例えば貫通ビアのような基板貫通配線８ｂと、下面配線８ｃとを介して、発光装置１００の外部に設けた配線等と電気的に接続可能である。
このような外部の配線として、図示しない二次基板（第２の基板）に設けた配線パターンを挙げることができる。例えば、二次基板の上面に発光体３の底面（実装基板４の下面）を実装することで、実装基板４の下面配線パターンと二次基板の配線パターンとを電気的に接続することができる。これにより、発光体３の発光素子２に外部電源から電力を供給することが可能となる。
【００２１】
レンズ９は、上面２８と底面２９とを有し、底面２９からレンズ９の内部に発光体３の一部分が埋め込まれている。より詳細には発光素子２と実装基板４の上面（図３において、実装基板４のＸ−Ｙ面に平行な２つの主面のうち、Ｚ側の主面）とがレンズ９の内部に埋め込まれている（すなわち、発光素子２と、実装基板４の上面とがレンズ９の内部に封止されている）。また、レンズ９の底面２９からは、実装基板４の下面（図３において、実装基板４のＸ−Ｙ面に平行な２つの主面のうち、−Ｚ側の面）が露出している。
【００２２】
図３に示す実施形態では、発光素子２はその全体がレンズ９の内部に封止されている。実装基板４は、上面全体がレンズ９の内部に封止され、４つの側面は、それぞれ、その一部分がレンズ９の内部に配置されている。この結果、実装基板４の下面は、レンズ９の底面２９から突出して露出している。
このような構成を有することにより、発光素子２からの発光を確実にレンズ９の内部に導くことができる。さらに、例えば、実装基板４の下面を２次基板の上面等の平面部に載置した場合（すなわち、発光装置１００を広い基板等の平面部上に配置した場合）でも、レンズ９の底面２９のうち、上面視において実装基板４の外側にまで延在している部分（以下、「外側延在部」と言う場合がある）を、確実に、基板材料等と比べて屈折率の低い空気に接触させることができる。
【００２３】
レンズ９は、実装基板４の下面（すなわち、発光体３の底面）に垂直な方向（Ｚ方向）からの上面視において、その底面２９が実装基板４の外側にまで延在している（すなわち、底面２９は、実装基板４の外側に延在する「外側延在部」を有する）。
図３に示す実施形態では、レンズ９は半球状の形状を有している。このため、上面２８は球面（半球面）となっており、底面２９は平面となっている（実装基板４および発光素子が埋め込まれている部分を除く。すなわち、外側延在部が平面となっている。）。
好ましくは、発光体３（すなわち、図３に示す実施形態では実装基板４）の横方向（図３のＸ方向）の長さおよび縦方向（同Ｙ方向）の長さをレンズ９の外径より短くすることにより、図３に示すように発光体３（すなわち、図３に示す実施形態では実装基板４と同じ）の外周全体において、レンズ９の底面２９が発光体３（または実装基板４）の外側まで延在している（すなわち、発光体３（または実装基板４）の外周全体にレンズ９の底面２９の外側延在部が形成されている。）。
しかし、これに限定されるものではなく、例えば、発光体３（または実装基板４）の横方向の長さおよび縦方向の長さの一方をレンズ９の外径より長くし、他方をレンズ９の外径より短くする等により、発光体３（または実装基板４）の外周の一部分において、レンズ９の底面２９が発光体３（または実装基板４）の外側まで延在してもよい。
【００２４】
レンズ９の底面２９のうち、発光体３（または実装基板４）の外側にまで延在している部分は、上述のように、屈折率が低い空気と接することとなる。このため、この部分では全反射の臨界角が小さくなり、発光素子２から、この部分に達した光の多くが、反射されてレンズ９内部を進むこととなる。
これにより、高い取り出し効率を得ることができる。
なお、発光体３（または、実装基板４および発光素子２）は、上面視において、レンズ９の略中央に位置することが好ましい。レンズ９（とりわけ、レンズ９の上面２８）から外に出る光が均一になるからである。
【００２５】
次に発光装置１００の製造方法について詳述する。
図１（ａ）に示すように、基体（例えば、下側金型）１８の上に接着層１６を設けた後、図１（ｂ）に示すように、接着層１６の上にシム板１４を配置する。そして図１（ｃ）に示すように、シム板１４に設けた開口部２０に、実装基板４および実装基板４の上面に載置された発光素子２を有する発光体３を配置する。
図４は、シム板１４の開口部２０内に配置された発光体３の配置を示す模式断面図である。図４は、図１に示す、複数の実装基板４等のうちの１つの周辺部分を拡大した図に相当する。
図５（ａ）は、シム板１４の模式上面図であり、図５（ｂ）は、図５（ａ）に示された開口部２０の拡大図である。
【００２６】
基体１８の上に接着層１６を設けることで、シム板１４を容易に固定できる。そして、基体１８の上面に固定されたシム板１４の開口部２０より露出した接着層１６の上に実装基板４の下面（すなわち、発光体３の底面）が固定されることでレンズ９を形成する際に、例えば硬化前の樹脂であるレンズ形成材料が実装基板４の下面（発光体３の底面）に回り込むのを抑制することができる。
【００２７】
接着層１６は、例えば、シリコーン系またはアクリル系のような、樹脂等の既知の任意の接着性を有する材料であってよい。
好ましい接着層１６の例として、表面に接着剤が塗布された樹脂テープを挙げることができる。また、好ましい樹脂テープの例としてポリイミド樹脂よりなるテープ（ポリイミドテープ）を挙げることができる。
接着層１６として、接着剤が塗布された樹脂テープを用いる場合、接着剤は樹脂テープの上面にのみ塗布されていることが好ましい。樹脂テープと基体１８とを接着剤で固定すると、成形後の取り扱いの作業性が悪くなる場合があるからである。樹脂テープの下面に接着剤が塗布されていなくても、詳細を後述するレンズ９を形成する工程においてモールド１０と基体１８とを型締めする際に、樹脂テープの下面と基体１８とは密着される。
しかし、これに限定されるものでなく、例えば、接着テープの両面に接着剤が塗布されていてもよい。
【００２８】
シム板１４は、ステンレス鋼、アルミニウム等の金属、ならびにＰＥＴ、ＰＰ、ＰＳ、ＰＭＭＡ、ＡＢＳ、ＰＡ、ＰＣおよびＰＬＡ等の樹脂を含む任意の材料から形成されてよい。
シム板１４は、少なくとも１つ以上の開口部２０を有する。好ましくは、図５に示すように複数の開口部２０、とりわけ整列して配置された複数の開口部２０を有する。一度に複数の発光装置１００を形成でき、生産性を向上できるからである。
開口部２０の形状は、上面視において、正方形および長方形を含む任意の形状であってよい。図５（ｂ）に示す実施形態では、正方形であるが、角部に円弧状の曲線部を有している。
【００２９】
また、シム板１４の厚さを適切な値とすることにより、得られた発光装置１００のレンズ９の底面２９の下に形成される空間の高さ（底面２９と発光体３の底面（または実装基板４の下面）との距離）を調整することができる。すなわち、シム板１４は、底面２９の下部に空間を形成するためのスペーサとして機能する。
【００３０】
シム板１４の上面には、後述するようにレンズ形成材料が接触し、レンズ９の底面２９を形成する。このため、シム板１４の上面は凹凸であって、底面２９にその形状が反映されて、発光素子２からの光の全反射を阻害するような凹凸を有しないことが好ましい。図１に示す発光装置のように、レンズ９の底面（外側延在部）２９が平面の場合、シム板１４の上面は平面（顕著な凹凸のない）である。
【００３１】
図４に示すように、開口部２０は、シム板１４の下面から上面に向けて（上方に向けて）広がるテーパーを有する（側面２０ａがテーパー部を形成する）ことが好ましい。
開口部２０の上面側が広いことで発光体３を容易に開口部２０に挿入できる。また、開口部２０の下面側が狭いことで、発光体３等を接着層１６上（すなわち、基体１８上）の所定の位置に高い精度で配置することができる。
【００３２】
なお、開口部２０がテーパーを有する場合、発光体３を開口部２０に配置した状態で、図４に示ようにシム板１４の開口部２０の側面と実装基板４の側面との間に空隙を生じる場合がある。また、開口部２０がテーパーを有しない場合であっても発光体３を開口部２０に配置した状態で、シム板１４の開口部２０の側面と実装基板４の側面との間に空隙を生じる場合がある。
そして、この空隙にレンズ形成材料が入り込むことにより、図３に示すように、発光装置１００のレンズ９は下垂部７９を有する場合がある。  下垂部７９は、その幅（図３のＸ方向長さ）が、５０μｍ程度（例えば、０．２ｍｍ以下）と短いため、通常、この存在を無視してよい。この場合、喩え下垂部７９が存在しても、この下垂部７９を無視し、図示した底面２９（図３でＸ方向に平行に延在している）を延長して、実装基板４の側面と交わる部分を実装基板４と底面２９との境界としてよい。
【００３３】
図６は、開口部２０の側面と実装基板４との間にシーリング樹脂２２を配置した実施形態を示す模式断面図である。
図６に示すように、図４に示す開口部２０の側面２０ａと実装基板４の側面との間の隙間を、例えば樹脂ポッティング等を用いることにより、シーリング樹脂（樹脂）２２により埋めてよい。シーリング樹脂２２を配置することにより、更に確実に発光体３の底面（実装基板４の下面）にレンズ形成材料が回り込むのを回避することができる。
シーリング樹脂２２に用いる好ましい樹脂として、シリコーン樹脂を例示できる。
【００３４】
このように形成したシーリング樹脂２２は、レンズ９を形成した後、必要に応じて除去してよい。
また、このシーリング樹脂２２を除去しないで発光装置１００を用いる場合、このシーリング樹脂２２を介してレンズ９内の光が実装基板４の上面に漏れるのを抑制するように、シーリング樹脂２２は光反射性の樹脂により形成することが好ましい。なお、発光装置１００がシーリング樹脂２２を有する場合、「レンズ９」および「底面２９」は、シーリング樹脂２２を含まない概念である。
【００３５】
図７は、実装基板がテーパー部を有する実施形態を示す模式断面図である。
図７の断面図から分かるように、図７に示す実施形態では、実装基板４Ａは、上方から下方に向けて（図７の−Ｚ方向に向けて）狭くなっているテーパー部を形成している（実装基板４Ａは側面にテーパー部を有する）。
なお、実装基板４Ａは、テーパー部を有すること以外についての構成は、実装基板４と同じであってよい。
【００３６】
図７に示す実施形態においても図４に示す実施形態と同じく、開口部２０は、シム板１４の下面から上面に向けて（上方に向けて）広がるようにテーパーを有する（側面２０ａがテーパー部を形成する）ことが好ましい。
これにより、図７に示すように、開口部２０の側面２０ａと実装基板４Ａの側面とが、より広い面積に亘って対向することとなり、実装基板４Ａを接着層１６の上に配置する際の位置合わせの精度が向上するとともに、レンズ形成材料が、開口部２０の側面２０ａと実装基板４Ａの側面との間の隙間を通り、実装基板４Ａの下面（特に接着層１６と接する部分（すなわち、下面配線８ｃが形成されている部分））に達するのをより確実に抑制することができる。
【００３７】
開口部２０の側面２０ａが上述のテーパー部を有しない場合であっても実装基板４Ａのテーパー部は以下の効果を有する。
実装基板４Ａが下部にテーパー部を有することにより、実装基板４Ａの下端側の幅が狭くなり、シム板１４の開口部２０への挿入が容易になる。一方、テーパー部の上端側では実装基板４Ａの幅は広くなっている。このため、シム板１４の上面側では、その側面２０ａと実装基板４Ａの側面との距離が短くなり、実装基板４Ａを接着層１６の上に配置する際の位置合わせの精度が向上する。また、この距離の短い部分が存在することに起因して、レンズ形成材料が、実装基板４Ａの下面（特に接着層１６と接する部分（すなわち、下面配線８ｃが形成されている部分））に達するのをより確実に抑制することができる。
【００３８】
なお、図７に示す実施形態では、テーパー部は実装基板４Ａの下部にのみ設けられている（実装基板４Ａの上部では、テーパーがなく、従って側面は上面に対して垂直となっている）。この場合、実装基板４Ａの下部に設けたテーパー部は、シム板１４の開口部２０内に挿入される部分のみに設けることが好ましい。これにより図７に示すように、実装基板４Ａの無い部分（非テーパー部）の下面は図７に示すようにシム板１４の上面に近接する。この結果、実装基板４Ａの非テーパー部の下面とシム板１４の上面との隙間が狭くなることにより、この部分でもレンズ形成材料が実装基板４Ａの下面のうち、接着層１６と接する部分（すなわち、下面配線８ｃが形成されている部分）に回り込むのを抑制できる。
【００３９】
しかし、テーパー部の形状は、これに限定されるものではなく、例えば、実装基板４Ａの側面全体（高さ方向全体（図７のＺ方向））に亘ってテーパーを形成してもよい。
【００４０】
以上に述べた方法により、発光素子２が載置された実装基板４（または実装基板４Ａ）を接着層１６の上に配置した後、図２（ａ）に示すように、表面に凹部（キャビティ）１２を設けたモールド（金型（例えば、上側金型））１０を、シム板１４に近づける。そして、図２（ｂ）に示すように、凹部１２内において、レンズ形成材料により、発光体３の上面（図２（ｂ）の実施形態では、発光素子２の上面と、実装基板４（または実装基板４Ａ。以下、「実装基板４」と言う場合、特段の断りがない限りは、実装基板４に代えて実装基板４Ａを用いてよい）の上面）と、シム板１４の上面とを覆う。これによりレンズ形成材料を得ようとするレンズ９の形状にすることができる。
【００４１】
より具体的には、図２（ａ）に示すように、例えば、モールド１０の下面のうち、凹部１２が形成されていない部分を、シム板１４の上面に押圧する（接触させる）ことでモールド１０と基体１８とは、シム板１４と接着層１６とを介して型締めされ、凹部１２内に発光素子２と、好ましくは実装基板４の少なくとも一部分が凹部１２の内部に位置する。
そして、モールド１０に設けた、図２（ｂ）に図示しない供給口から、例えば、硬化前の樹脂等であるレンズ形成材料を供給し、レンズ形成材料により凹部１２内を満たす。レンズ形成材料を凹部１２内に供給する前に、必要に応じて凹部１２内を減圧してよい。
なお、発光素子２が実装基板４の上面全体を覆う場合、実装基板４は発光素子２を介してレンズ形成材料に覆われることとなる。
【００４２】
また、レンズ形成材料がある程度の粘度を有する場合、圧縮成形法により、凹部１２内において、レンズ形成材料により、発光体３（発光素子２の上面と実装基板４）の上面と、シム板１４の上面とを覆ってよい。すなわち、予め、レンズ形成材料により発光素子２の上面と、実装基板４上面と、シム板１４の上面とを覆った後、モールド１０の凹部１２が形成されていない部分をシム板１４の上面に押圧することで、凹部１２内において、レンズ形成材料により、発光素子２の上面と、実装基板４上面と、シム板１４の上面とが覆われ、かつ凹部１２内がレンズ形成材料により満たされる。
なお、この場合、必要に応じて、モールド１０等に凹部１２内の空気を排気する排気路を設けてよい。
【００４３】
さらに、図２（ａ）、（ｂ）に示す状態の上下（Ｚ軸方向）を反転させた状態（すなわち、基体１８が上部にあり、モールド１０が下部にあり、凹部１２がモールド１０の上面に形成されている状態）で、予め凹部１２にレンズ形成材料を配置した状態で、基体１８とモールド１０とを接近させて（例えば、モールド１０の凹部１２が形成されていない部分をシム板１４の上面に接触させて）、凹部１２内において、レンズ形成材料により、発光体３（発光素子２と実装基板４）の上面と、シム板１４の上面とを覆い、かつ凹部１２内をレンズ形成材料により満たしてもよい。
また、圧縮成形法に代えてトランスファーモールド法によりレンズ９を形成してもよい。例えば、凹部１２からモールド１０の外側に繋がる貫通孔をモールド１０に設け、基体１８を下金型として用い、当該貫通孔を通ってモールド内にレンズ形成材料を押し出すことによって、トランスファーモールド法によりレンズ９を形成できる。
【００４４】
レンズ９は、発光体３が発する光（発光素子２が発する光および蛍光体層６が発する光（蛍光体層６を用いる場合））に対して、透光性を有する任意の材料により形成してよい。例えば、レンズ９は、透明な樹脂またはガラス等からなる。このような樹脂として、例えば、硬質シリコーン樹脂およびエポキシ樹脂を例示できる。
レンズ形成材料は凹部１２内に供給でき、かつ発光体３（発光素子２と実装基板４）の上面と、シム板１４の上面とを覆うことができ、得ようとするレンズ９の形状を形成した後、硬化可能な材料であれば任意の材料を用いてよい。レンズ形成材料として、例えば、硬化剤を含む液状の樹脂、および溶融ガラスを例示できる。また、好ましいレンズ形成材料として、硬化剤を含むシリコーン樹脂および硬化剤を含むエポキシ樹脂を例示できる。
【００４５】
このようにして、レンズ形成材料により所望の形状を形成した後、レンズ形成材料を硬化させてレンズ９を得る。
なお、レンズ形成材料の硬化は、モールド１０と基体１８とを離間させてもレンズ形成材料が流動しない程度にレンズ形成材料を仮硬化させた後、モールド１０と基体１８とを離間させ、さらに接着層１６と実装基板４とを離間させた後、本硬化を行って、レンズ９を得てもよい。
また、例えば、シム板１４の上面と、モールド１０の下面のうち凹部１２が形成されていない部分との間にレンズ形成材料が入り込む等により、異なる発光装置１００のレンズ９同士が接続されている場合は、この接続されている部分を、切断する（必要に応じて更に研磨を行う）等により除去することで発光装置１００の個片化を行ってよい。
【００４６】
このようにして発光装置１００を得ることができる。
以下に、発光体３に含まれる、発光素子２と実装基板４の詳細を示す。
発光素子２は、例えば、ＬＥＤチップ等の半導体素子である。発光素子２に含まれる半導体層の具体的な例として、サファイア等の基板側から順に、ｎ型半導体層、活性層（発光層）及びｐ型半導体層が積層された構成を挙げることができる。用いる半導体として、例えば窒化物半導体であるＧａＮ系化合物半導体を例示できる。
なお、発光素子２は、これらの構成に限定されるものではなく、他の半導体材料を用いて構成してもよく、適宜、保護層や反射層などを備えてよい。
【００４７】
また、発光素子２が蛍光体層６を有する場合、蛍光体層６に用いる蛍光体として、黄色発光する、セリウムで賦活されたＹＡＧ系、ＬＡＧ系蛍光体、（Ｓｒ，Ｂａ）２ＳｉＯ４：Ｅｕ等のシリケート系蛍光体およびこれらの組み合わせを挙げることができる。なお、蛍光体は黄色発光するものに限られず、青色発光、緑色発光、赤色発光する蛍光体を用いてもよい。これらの蛍光体は単独で用いてもよいし、複数の種類の蛍光体を組み合わせて用いてもよい。量子ドット蛍光体を用いてもよい。
【００４８】
実装基板４は、例えば、窒化アルミニウムやアルミナなどのセラミックス、ガラスエポキシ、および樹脂などを用いることができる。
実装基板４は上面配線パターン８ａおよび下面配線パターン８ｃに用いる金属層としては、導電性がよく、発光素子２が発光する波長の光の反射率が高い材料が好ましい。例えば、導電性を確保するためにＴｉ／Ｐｔ／Ａｕなどを用いて配線パターンを形成し、反射率を向上させるために、更に表層にＡｇ、Ａｌ、Ｒｈなどを有する、単層膜又は多層膜を設けるようにしてもよい。
また、実装基板４の、貫通配線８ｂは例えば銅メッキ等により形成されたビアであってよい。
発光素子２は、例えばフリップチップ実装等の既知の方法により、実装基板４に実装（載置）されてよい。
【００４９】
なお、本発明に用いることができる発光体は、発光素子２と実装基板４を備えた発光体３に限定されるものではなく、発光素子を含む任意の既知の発光体を用いてよい。このような発光体を以下に例示する。
図１０（ａ）は、発光体３Ａを示す模式断面図であり、図１０（ｂ）は、発光体３Ｂを示す模式断面図である。
【００５０】
発光体３Ａは、第１のリード３４Ａと、第２のリード３４Ｂと、発光素子２とを含む。第１のリード３４Ａおよび第２のリード３４Ｂは、樹脂パッケージ３６の中に配置されている。発光素子２は、第１のリード３４Ａの上に配置され、第１の金属ワイヤ３８Ａにより第１のリード３４Ａと電気的に接続され、第２の金属ワイヤ３８Ｂにより第２のリード３４Ｂと電気的に接続されている。第１のリード３４Ａと第２のリード３４Ｂは、樹脂パッケージ３６の底面から露出しており、例えば、この露出部分を２次基板の配線と電気的に接続することにより、発光素子２と外部電源とを電気的に接続することができる。発光素子２は、蛍光体層６により覆われてよい。発光体３Ａは、発光素子２を覆う発光体レンズ３９を有してもよい。なお、蛍光体層６を設けた場合、発光体レンズ３９は、蛍光体層６を介して発光素子２を覆ってよい。
【００５１】
発光体３Ｂは、発光素子２と、発光素子２の側面を覆う光反射性樹脂層３５と、発光素子２の下面に配置された第１の電極３２Ａおよび第２の電極３２Ｂを有する。
例えば、第１の電極３２Ａおよび第２の電極３２Ｂと２次基板の配線とを電気的に接続することにより、発光素子２と外部電源とを電気的に接続することができる。
光反射性樹脂層３５は、発光素子２の側面から出射した光を反射する。このため、例えば白樹脂等、発光素子２が発する光に対して高い反射率を有する樹脂を含むことが好ましい。
発光素子２は、その上面を蛍光体層６により覆われてよい。
【００５２】
・変形例
図８は、本発明の変形例に係る発光装置１００Ａである。発光装置１００Ａの特段の断りがない構成については、発光装置１００と同じ構成を有してよい。
発光装置１００Ａのレンズ９Ａの底面２９Ａは、端部（底面の外周部分）に、実装基板４の上面に平行な方向（図８ではＸ方向）に対して傾斜している傾斜部を有している。
図８に示す実施形態では、底面２９Ａの外側延在部全体が傾斜部となっているがこの実施形態に限定されるものではない。例えば、底面２９Ａの外側延在部のうち基端側（実装基板４に近い側）は、実装基板４の上面に平行な平面であって、端部（末端側）にのみ傾斜部を有してもよい。
なお、傾斜部は図８に示す断面図では直線で示されるが、この直線を図８のＺ軸方向に平行な軸の回りに回転させて得られる曲面（滑らかな曲面）となっている。
【００５３】
底面２９Ａの傾斜部は、基端側と比べて端部側（実装基板４から遠い側）の方が、上部（図８のＺ方向）に位置している。
【００５４】
発光装置１００のように底面２９が平面の場合、発光素子２から斜め下方に出射し、底面２９と上面２８との境界部に達した光は、そのままレンズ９の外に出る場合がある。しかし、レンズ９Ａでは、レンズ９において上面と底面の境界部分から出ていた光が、傾斜部にあたりレンズ９Ａの上方向に反射される。これにより発光装置１００Ａでは、よりいっそう取り出し効率を向上できる。
なお、レンズ９Ａのその他の構成は、レンズ９と同じであってよい。
【００５５】
次に、発光装置１００Ａの製造方法を説明する。
ただし、発光装置１００の製造方法と異なる部分のみを説明する。
図９は、シム板１４Ａの開口部２０内に配置された発光体３の配置を示す断面図である。図９は、図１に示す、複数の発光体３のうちの１つの周辺部分を拡大した図に相当する。
【００５６】
シム板１４Ａの上面２４Ａは、レンズ９Ａの傾斜部に対応した傾斜面を有している。
すなわち、シム板１４Ａの傾斜面は、基体１８の上面に対して傾斜しており、基端側（開口部２０に近い側）と比べて、端部側（開口部２０から遠い側）の方が、上部（図９のＺ方向）に位置している。
このように上面２４Ａが傾斜面を含むシム板１４Ａを用い、上述の発光装置１００と同じ方法を用いることにより、発光装置１００Ａを得ることができる。
なおシム板１４Ａの特段の説明のない構成については、シム板１４と同じ構成を有してよい。
【符号の説明】
【００５７】
２  発光素子
３、３Ａ、３Ｂ  発光体
４、４Ａ  実装基板（基板）
６  蛍光体層
８  配線
８ａ  上面配線
８ｂ  貫通配線
８ｃ  下面配線
９、９Ａ  レンズ
１０  モールド
１２  凹部（キャビティ）
１４、１４Ａ  シム板
１６  接着層
１８  基体
２０  開口
２０ａ  開口側面
２４Ａ  シム板上面
２９、２９Ａ  レンズ底面
７９  下垂部
１００  発光装置
【図１】
2015192061.tif 000003
【図２】
2015192061.tif 000004
【図３】
2015192061.tif 000005
【図４】
2015192061.tif 000006
【図５】
2015192061.tif 000007
【図６】
2015192061.tif 000008
【図７】
2015192061.tif 000009
【図８】
2015192061.tif 000010
【図９】
2015192061.tif 000011
【図１０】
2015192061.tif 000012